(57)【要約】【課題】省エネルギーの画像形成装置を提供する。【解決手段】  画像形成装置１は、部位毎に省エネルギー状態又は通常起動状態の電源管理を行う。復帰制御部８１は、各部位のセンサの信号からイベントを検知する。この上で、復帰制御部８１は、各イベントのうち、省エネルギー状態から通常起動状態へ復帰させるための復帰トリガーイベントを、記憶部９の復帰設定９３を参照して特定する。復帰制御部８１は、この際、ユーザーの使用状況に合わせて復帰トリガーイベントの種類毎に、部位を選択して復帰させる。【選択図】図２
2014049955.tif 000002
【特許請求の範囲】
【請求項１】
部位毎に、省エネルギー状態又は通常起動状態に電源管理される画像形成装置において、
前記省エネルギー状態にあっても、前記部位の機能を実行させるジョブの入力、又は前記部位の状態の変化を検知する検知手段と、
前記ジョブ又は前記状態の変化と、前記省エネルギー状態から前記通常起動状態へ復帰させる前記部位との関係を記憶する復帰設定記憶手段と、
前記復帰設定記憶手段を参照して、前記検知手段により検知された前記ジョブ又は前記状態の変化により、前記省エネルギー状態から前記通常起動状態へ復帰させる前記部位を特定する復帰部位特定手段と、
特定された前記部位を、前記省エネルギー状態から前記通常起動状態へ復帰させる復帰制御手段とを備える
ことを特徴とする画像形成装置。
【請求項２】
前記部位として、ユーザーの原稿を給送する原稿給送手段と、前記原稿を読み取る原稿読取手段と、前記ジョブの指示を行う操作パネル手段と、ＦＡＸ送受信を行うＦＡＸ送受信手段とを備え、
前記復帰部位特定手段は、
前記原稿給送手段に前記原稿が検知された場合、前記操作パネル手段と、前記原稿読取手段と、前記ＦＡＸ送受信手段とを特定する
ことを特徴とする請求項１に記載の画像形成装置。
【請求項３】
記録される用紙を保持する用紙保持手段と、前記ジョブの印刷データ又は前記読取手段で読み取られた前記原稿の画像データを前記用紙に記録する記録手段とを備え、
前記復帰部位特定手段は、
前記用紙保持手段の用紙セットが検知された場合、前記操作パネル手段と、前記記録手段とを特定する
ことを特徴とする請求項２に記載の画像形成装置。
【請求項４】
前記復帰部位特定手段は、
前記ジョブの種類が前記記録手段へ前記用紙の記録を行わせる印刷ジョブであった場合、前記記録手段を特定し、
前記ジョブの種類が前記読取手段で前記原稿を読み取り前記記憶手段に記憶するスキャンジョブであった場合、前記操作パネル手段と前記読取手段とを特定し、
前記ジョブの種類が前記読取手段で前記原稿を読み取り他の端末へ送信するリモートスキャンジョブであった場合、操作パネル手段を特定せず、前記読取手段を特定する
ことを特徴とする請求項３に記載の画像形成装置。
【請求項５】
部位毎に、省エネルギー状態又は通常起動状態に電源管理される画像形成装置による画像形成方法において、
前記省エネルギー状態にあっても、前記部位の機能を実行させるジョブの入力、又は前記部位の状態の変化を検知し、
前記ジョブ又は前記状態の変化と、前記省エネルギー状態から前記通常起動状態へ復帰させる前記部位との関係を復帰設定記憶手段に記憶し、
前記復帰設定記憶手段を参照して、前記ジョブ又は前記状態の変化により、前記省エネルギー状態から前記通常起動状態へ復帰させる前記部位を特定し、
特定された前記部位を、前記省エネルギー状態から前記通常起動状態へ復帰させる
ことを特徴とする画像形成方法。
【発明の詳細な説明】
【技術分野】
【０００１】
本発明は、画像形成装置及び画像形成方法に係り、特に省エネルギーの電源制御を行う画像形成装置及び画像形成方法に関する。
【背景技術】
【０００２】
従来から、複合機（Multifunctional Printer, MFP）等の画像形成装置は、所定時間、稼働していない場合、消費電力を低減する省エネルギー状態に電源制御できるものが存在した。
しかしながら、従来は、省エネルギー状態からの復帰時に、全ての部位を復帰させるため、省エネルギー性が損なわれるという問題があった。
【０００３】
ここで、特許文献１を参照すると、省エネモードの実行中に画像読み取り装置へ原稿がセットされた際に、省エネモードを解除すると共に、予め初期設定されている優先立ち上げアプリケーションの待機時に当該省エネモードから復帰する場合、優先立ち上げアプリケーションが実行すべき機能としてファクシミリ機能が設定されているとき、用紙への記録部のプレ回転起動のための制御信号を発生させず、優先立ち上げアプリケーションが実行すべき機能としてコピー機能が設定されているとき、プレ回転起動のための制御信号を発生させることを特徴とするデジタル複写機システムが記載されている（以下、従来技術１とする。）。
従来技術１では、回転偏向手段の寿命の延長を図り、プレ回転起動による不必要な騒音の防止を図ることができるという効果が得られる。
【０００４】
また、特許文献２を参照すると、省エネ待機状態をとることが可能な画像形成装置において、各種機能ボタンと表示部とにより構成される操作パネルを備え、省エネ待機状態にある時に、操作パネルの機能ボタンの一つである電源ボタンが操作されたとき、操作パネルの電源だけを復帰させる手段と、操作パネルの電源だけが復帰させられた後、各機能のボタンの操作により、操作された機能を実行する機構を選択して、その機構に対する電源を復帰させる手段とを有することを特徴とする画像形成装置が記載されている（以下、従来技術２とする。）。
従来技術２では、操作パネルから指示されるジョブによって復帰させる機構のみを選択して電源を入れるように制御することが可能になり、より省エネルギーの画像形成装置を構成することができるという効果が得られる。
【先行技術文献】
【特許文献】
【０００５】
【特許文献１】特開平１１−２５２２８９号公報
【特許文献２】特開２００４−２２２２３４号公報
【発明の概要】
【発明が解決しようとする課題】
【０００６】
しかしながら、従来技術１の優先立ち上げアプリケーションの選択や、従来技術２のような操作パネルから指示されるジョブによる選択は、実際のユーザーの使用時に、省エネルギー状態から復帰させなくてもよい部位を復帰させる等の無駄が生じているという問題があった。
このため、より省エネルギー性能を高められる画像形成装置が求められていた。
【０００７】
本発明は、このような状況に鑑みてなされたものであり、上述の課題を解消することを課題とする。
【課題を解決するための手段】
【０００８】
本発明の画像形成装置は、部位毎に、省エネルギー状態又は通常起動状態に電源管理される画像形成装置において、前記省エネルギー状態にあっても、前記部位の機能を実行させるジョブの入力、又は前記部位の状態の変化を検知する検知手段と、前記ジョブ又は前記状態の変化と、前記省エネルギー状態から前記通常起動状態へ復帰させる前記部位との関係を記憶する復帰設定記憶手段と、前記復帰設定記憶手段を参照して、前記検知手段により検知された前記ジョブ又は前記状態の変化により、前記省エネルギー状態から前記通常起動状態へ復帰させる前記部位を特定する復帰部位特定手段と、特定された前記部位を、前記省エネルギー状態から前記通常起動状態へ復帰させる復帰制御手段とを備えることを特徴とする。
本発明の画像形成装置は、前記部位として、ユーザーの原稿を給送する原稿給送手段と、前記原稿を読み取る原稿読取手段と、前記ジョブの指示を行う操作パネル手段と、ＦＡＸ送受信を行うＦＡＸ送受信手段とを備え、前記復帰部位特定手段は、前記原稿給送手段に前記原稿が検知された場合、前記操作パネル手段と、前記原稿読取手段と、前記ＦＡＸ送受信手段とを特定することを特徴とする。
本発明の画像形成装置は、記録される用紙を保持する用紙保持手段と、前記ジョブの印刷データ又は前記読取手段で読み取られた前記原稿の画像データを前記用紙に記録する記録手段とを備え、前記復帰部位特定手段は、前記用紙保持手段の用紙セットが検知された場合、前記操作パネル手段と、前記記録手段とを特定することを特徴とする。
本発明の画像形成装置は、前記復帰部位特定手段は、前記ジョブの種類が前記記録手段へ前記用紙の記録を行わせる印刷ジョブであった場合、前記記録手段を特定し、前記ジョブの種類が前記読取手段で前記原稿を読み取り前記記憶手段に記憶するスキャンジョブであった場合、前記操作パネル手段と前記読取手段とを特定し、前記ジョブの種類が前記読取手段で前記原稿を読み取り他の端末へ送信するリモートスキャンジョブであった場合、操作パネル手段を特定せず、前記読取手段を特定することを特徴とする。
本発明の画像形成方法は、部位毎に、省エネルギー状態又は通常起動状態に電源管理される画像形成装置による画像形成方法において、前記省エネルギー状態にあっても、前記部位の機能を実行させるジョブの入力、又は前記部位の状態の変化を検知し、前記ジョブ又は前記状態の変化と、前記省エネルギー状態から前記通常起動状態へ復帰させる前記部位との関係を復帰設定記憶手段に記憶し、前記復帰設定記憶手段を参照して、前記ジョブ又は前記状態の変化により、前記省エネルギー状態から前記通常起動状態へ復帰させる前記部位を特定し、特定された前記部位を、前記省エネルギー状態から前記通常起動状態へ復帰させることを特徴とする。
【発明の効果】
【０００９】
本発明によれば、ジョブの入力や部位の状態の変化を検知し、ユーザーの使用状況に合わせて部位毎に電源状態を変更させることで、省エネルギー性能を高めた画像形成装置を提供することができる。
【図面の簡単な説明】
【００１０】
【図１】本発明の実施の形態に係る画像形成装置１の内部構成を示す概略模式断面図である。
【図２】本発明の実施の形態に係る画像形成装置１の制御構成を示すブロック図である。
【図３】本発明の実施の形態に係る選択復帰処理のフローチャートである。
【図４】本発明の実施の形態に係る復帰設定９３の概念図である。
【発明を実施するための形態】
【００１１】
＜実施の形態＞
〔画像形成装置１の構成〕
次に、図１〜図２を参照して、本発明の実施の形態に係る画像形成装置１の構成について詳しく説明する。
図１によると、本実施の形態の画像形成装置１は、原稿読取部２、原稿給送部３（原稿給送手段）、本体部４、スタックトレイ５、操作パネル部６（操作パネル手段）、及び人感センサ１３を備えている。
原稿読取部２は、本体部４の上部に配設され、原稿給送部３は、原稿読取部２の上部に配設されている。スタックトレイ５は、本体部４の形成された記録紙の排出口４１側に配設され、また、操作パネル部６は、画像形成装置１のフロント側に配設されている。
【００１２】
原稿読取部２は、スキャナー２１（原稿読取手段）と、プラテンガラス２２と、原稿読取スリット２３とを備える。スキャナー２１は、露光ランプ、及びＣＣＤ(Charge Coupled Device)やＣＭＯＳ（Complementary Metal Oxide Semiconductor）撮像センサ等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１３】
プラテンガラス２２に載置された原稿を読み取る場合には、スキャナー２１は、プラテンガラス２２に対向する位置に移動され、プラテンガラス２２に載置された原稿を走査しながら原稿を読み取って画像データを取得して、取得した画像データを本体部４に出力する。
また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１４】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させるプラテンカバーとしても機能させることができる。
【００１５】
本体部４は、記録部７を備えると共に、給紙部４２と、用紙搬送路４３と、搬送ローラー４４と、排出ローラー４５とを備えている。給紙部４２は、それぞれサイズ又は向きが異なる記録紙を収納する複数の給紙カセット４２１、数枚程度の普通紙や厚紙等が配置される手差しトレイ４２３と、給紙カセット４２１又は手差しトレイ４２３から記録紙を１枚ずつ用紙搬送路４３に繰り出す給紙ローラー４２２とを備えている。
給紙カセット４２１及び手差しトレイ４２３は、用紙保持手段として機能する。
給紙ローラー４２２、搬送ローラー４４、及び排出ローラー４５は、搬送部（搬送手段）として機能する。記録紙は、この搬送部により搬送される。給紙ローラー４２２によって用紙搬送路４３に繰り出された記録紙は、搬送ローラー４４によって記録部７に搬送される。
そして、記録部７によって記録が施された記録紙は、排出ローラー４５によってスタックトレイ５に排出される。
【００１６】
操作パネル部６は、ＬＣＤ等の表示部と、各種指示を行うためのタッチパネル６１やボタン部６２等と、記憶媒体接続部６３（記憶媒体接続手段）とを備えている。
タッチパネル６１は、抵抗膜方式や静電容量方式のタッチパネルであり、ユーザーが押下した表示部上の座標や押圧等を検知する。タッチパネル６１は、マルチタッチ対応のパネルの場合には、複数の座標や押圧等を検知できる。また、タッチパネル６１が静電容量方式の場合には、完全に押下しなくてもユーザーの指等が所定間隔近づいたことで座標を検知できる。
ボタン部６２は、スタートキー、テンキー、複写／ＦＡＸ送信／スキャナー等の動作モードの切り換え、選択された文書の印刷／送信／受信等に係る指示を検知するためのボタンである。ボタン部６２も、静電容量方式のボタンを用いて、ユーザーの指等が所定間隔近づいたことを検知するように構成してもよい。
操作パネル部６のタッチパネル６１及びボタン部６２は、ユーザーによる画像形成装置１の指示を検知するユーザー指示検知手段として機能する。
記憶媒体接続部６３は、ＵＳＢメモリ、ＵＳＢ接続ＨＤＤ、デジタルカメラ、ビデオカメラ、スマートフォン、タブレット、ＰＤＡ等の記憶媒体を内蔵した各種機器を接続するためのＵＳＢ端子、ＳＤカード等の各種フラッシュメモリ等の記憶媒体を接続するリーダ／ライタ等である。記憶媒体接続部６３は、Ｂｌｕｅｔｏｏｔｈ（登録商標）等の送受信部や赤外線送受信部を備えて、無線や光学的な接続にて記憶媒体や各種機器と接続してもよい。記憶媒体接続部６３に接続された記憶媒体は、記憶部９と同様に記憶手段として機能する。
【００１７】
記録部７は、感光体ドラム７１と、露光部７２と、画像形成部７３と、転写部７４と、定着部７５とを備えている。露光部７２は、レーザー装置やＬＥＤアレイやミラーやレンズ等を備えた光学ユニットであり、画像データに基づいて光等を出力して感光体ドラム７１を露光し、感光体ドラム７１の表面に静電潜像を形成する。画像形成部７３は、トナーを用いて感光体ドラム７１に形成された静電潜像を現像する現像ユニットであり、静電潜像に基づいたトナー像を感光体ドラム７１上に形成させる。転写部７４は、画像形成部７３によって感光体ドラム７１上に形成されたトナー像を記録紙に転写させる。定着部７５は、転写部７４によってトナー像が転写された記録紙を加熱してトナー像を記録紙に定着させる。
【００１８】
人感センサ１３は、赤外線センサ等を用いてヒトの接近を感知するセンサである。人感センサ１３は、所定範囲内にユーザーが近づいたことを検知する。
なお、この他にもＲＦＩＤタグのセンサや、カメラ等の光学センサ、生体認証センサ、マイクロ波レーダー等を用いて、ユーザーの接近を検知してもよい。
【００１９】
また、原稿給送部３は、原稿が原稿載置部３１に載置された際に原稿のサイズや枚数等も含めて検知する原稿検知センサ３１１を備えている。また、原稿給送部３は、プラテンカバーが開閉されたことを検知する、開閉センサ３２１等も備えている。
また、本体部４は、手差しトレイ４２３の開閉や、給紙カセット４２１の交換等を用紙セットとして検知するトレイ用センサ４４１を備えている。
この他にも、各部位は、状態の変化を検知するためのセンサを備えている。
以下、人感センサ１３及び各部位のセンサをまとめて、「各センサ」という。各センサは、省エネルギー状態にあっても通電されており、部位の状態変化の信号を検知する。このため、各センサは各部位の状態の変化を検知する検知手段として機能する。
【００２０】
図２には、画像形成装置１の概略制御構成を示すブロック図が示されている。上述の原稿読取部２、原稿給送部３、搬送部（給紙ローラー４２２、搬送ローラー４４、排出ローラー４５）、操作パネル部６、及び記録部７は、制御部８に接続され、制御部８によって動作制御される。また、制御部８には、記憶部９（記憶手段）、画像処理部１０（画像処理手段）、ＦＡＸ送受信部１１（ＦＡＸ送受信手段）、ネットワーク送受信部１２（送信手段、受信手段）、人感センサ１３（人感手段）等が接続されている。
【００２１】
制御部８は、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。
制御部８は、ＲＯＭに記憶されている制御プログラムを読み出し、制御プログラムをＲＡＭに展開させることで、操作パネル部６から入力された所定の指示情報に応じて、装置全体の制御を行う。また、制御部８及び画像処理部１０は、他の画像形成装置１やユーザーのＰＣ（Personal Computer）やスマートフォン等の他の端末２００からの指示で、各種の制御を行うこともできる。
また、制御部８は、復帰制御部８１を機能部位として備えている。
【００２２】
復帰制御部８１は、各部の電力状態の変更（移行）等を制御する、省エネルギー管理モジュール等の電源管理制御部位である。復帰制御部８１は、復帰部位特定手段、復帰制御手段、電源制御手段として機能する。
本実施形態の画像形成装置１の各部は、電源が通電（オン）されて各機能を実行可能な通常起動状態と、スタンバイ等の電源消費が少ない省エネルギー状態とに、電源状態を変更させることが可能である。復帰制御部８１は、制御信号を送信して各部の電源状態を通常起動状態と省エネルギー状態とに変更させる。また、復帰制御部８１は、図示しないリレー等を用いて、各部の電源供給を制御することもできる。
このため、復帰制御部８１は、各センサで信号を検知し、状態変化（イベント）の発生を検知する。また、復帰制御部８１は、ジョブ９２を受信、すなわち各種ジョブが入力された場合にも、イベントとして検知する。復帰制御部８１は、これらのイベントのうち、各部を省エネルギー状態から復帰させる惹起（トリガー）要因となるイベント（以下、「復帰トリガーイベントという。」）を特定する。復帰制御部８１は、記憶部９を参照し、この復帰トリガーイベントの種類毎に、各部位の電源状態を変更する。
【００２３】
記憶部９は、半導体メモリやＨＤＤ（Hard Disk Drive）等の記憶手段である。
記憶部９は、画像処理部１０で画像処理された画像データ、記憶媒体に記憶された各種ファイル、サムネイル画像のデータ等を記憶する。
また、記憶部９には、各ユーザーの保存フォルダを記憶している。保存フォルダは、原稿読取部２で読み取られ画像処理部１０で画像処理された画像データ（スキャンされた画像データ）、記憶媒体等から読み取られた画像データ、印刷データ等をＮＡＳ（Network Attached Storage）のように記憶する。この画像データや印刷データ等は、記憶部９の保存フォルダや記録媒体に記録してもよい。また、画像データを、ネットワーク送受信部１２を介して、ネットワーク１００経由で端末２００に送信されてもよい。
また、記憶部９は、アカウント設定９０を記憶するアカウント設定記憶手段、機器状態９１を記憶する機器状態記憶手段、ジョブ９２を記憶するジョブデータ記憶手段、復帰設定９３を記憶する復帰設定記憶手段等として機能する。
記憶部９の少なくとも一部は、省エネルギー状態であっても常時通電され、書き込み／読み込みが可能である。
【００２４】
アカウント設定９０は、ユーザーのアカウント毎の画像形成装置１の各種情報を備えたデータベースである。
なお、予め各ユーザーが操作パネル部６や端末２００のウェブブラウザ等から、当該ユーザーの端末２００に係る各種情報を入力して登録することもできる。また、アカウント設定９０には、ゲストのユーザーを登録することもできる。
また、操作パネル部６により、アカウント設定９０の各ユーザーの情報を入力・変更することもできる。
【００２５】
機器状態９１は、各部の電源管理の状態を示すテーブル等のデータである。機器状態９１には、これらの各部の電源状態について書き込み／読み込みされる。
なお、機器状態９１には、その電源状態に変更された時刻等も書き込み／読み込みされてもよい。
【００２６】
ジョブ９２は、各部位の各種機能を実行させる各種ジョブに関するデータである。ジョブ９２は、ジョブの種類、機能を実行させるコマンド、ジョブＩＤ（Identification）、画像データ／印刷データを含む各種データ等から構成されている。
このうち、ジョブの種類としては、例えば、印刷ジョブ、スキャンジョブ、リモートスキャンジョブ、コピージョブ、ＦＡＸジョブ等が用いられる。
このうち、印刷ジョブは、端末２００から受信したページ記述言語の印刷データを記録部７で用紙に記録するジョブである。
スキャンジョブは、原稿読取部２によって原稿を読み取り、画像形成装置１の保存フォルダや記憶媒体接続部６３に接続された記憶媒体へ記憶させるジョブである。
リモートスキャンジョブは、原稿読取部２によってスキャンされた画像データを、ＳＭＢやＦＴＰや電子メール等で端末２００の保存フォルダ等へ送信するジョブである。
コピージョブは、原稿読取部２によってスキャンされた画像データを直接、記録部７で用紙に記録を行うジョブである。
ＦＡＸジョブは、印刷データをＦＡＸ送受信部１１で送信するＦＡＸ送信ジョブと、ＦＡＸ送受信部１１で受信した画像データを記録部７へ出力させるＦＡＸ記録ジョブと、ＦＡＸ送受信部１１で受信した画像データを端末２００で受信するリモートＦＡＸ受信ジョブ等とを含む、ＦＡＸ関連の送受信に関するジョブである。
【００２７】
復帰設定９３は、各センサからの検知による復帰トリガーイベントと、どの部位を省エネルギー状態から復帰させるか否かについての設定を示すテーブル等のイベント復帰設定のデータである。また、復帰設定９３は、ジョブの種類による復帰トリガーイベントと、どの部位を省エネルギー状態から復帰させるか否かについての設定を示す、ジョブ復帰設定のデータも含んでいる。復帰設定９３の詳細については後述する。
【００２８】
画像処理部１０は、ＤＳＰ（Digital Signal Processor）やＧＰＵ（Graphics Processing Unit）の制御演算部位である。画像処理部１０は、画像データに対して所定の画像処理を行う手段であり、例えば、拡大縮小処理や、濃度調整、階調調整等の画像改善処理を含む各種画像処理を行う。
また、画像処理部１０は、原稿読取部２で読み取られた画像を、ＰＤＦやＴＩＦＦ等のフォーマットの画像データに変換してもよい。
【００２９】
ＦＡＸ送受信部１１は、ファクシミリの送受信を行う部位であり、通常の電話回線やＩＳＤＮ回線等と接続されている。
ＦＡＸ送受信部１１は、ファクシミリを受信した画像データを、記録部７から直接出力又はＦＡＸ受信ジョブのジョブ９２として記憶部９に記憶する。
また、また、ＦＡＸ送受信部１１は、端末２００から受信したＦＡＸ送信ジョブのジョブ９２を、記録部７で記録する代わりにファクシミリ送信することができる。
【００３０】
ネットワーク送受信部１２は、ネットワーク１００に接続するためのＬＡＮボードや無線送受信機やテレフォン・ダイアラーやカプラ等を含む、外部のネットワーク１００へ接続する部位である。ネットワーク１００は、ＬＡＮ、ＷＡＮ、携帯電話網等のネットワークである。
ネットワーク送受信部１２は、ネットワーク１００を介し、端末２００と接続される。これにより、ネットワーク送受信部１２は、端末２００から受信したジョブ９２等を記憶部９に出力して記憶する。
【００３１】
なお、画像形成装置１は、制御部８や画像処理部１０等を、ＧＰＵ内蔵ＣＰＵや、チップ・オン・モジュールパッケージのように、一体的に形成してもよい。
また、画像形成装置１は、他の画像形成装置１や外部のサーバ（図示せず）にアップロードを行うためのアップロード部等を備えていてもよい。
【００３２】
〔画像形成装置１による選択復帰処理〕
次に、図３と図４とを参照して、本発明の実施の形態に係る画像形成装置１による選択復帰処理について説明する。
本実施形態の選択復帰処理は、画像形成装置１の各部を、各センサの検知内容や取得したジョブの種類等を基にした復帰トリガーイベントを基に、ユーザーの使用態様に合わせて省エネルギー状態から復帰する。
復帰する部位を選別して復帰させることにより、ユーザー利便性を損わず、画像形成装置１の省エネルギー性を高めることができる。
以下で、図３のフローチャートを参照して、本実施形態の選択復帰処理をステップ毎に詳しく説明する。以下の処理は、復帰制御部８１が、記憶部９に記憶されたプログラムに従って、ハードウェア資源を用いて実行する。
【００３３】
（ステップＳ１００）
まず、復帰制御部８１は、イベント検知処理を行う。
復帰制御部８１は、各センサで検知が行われたか否かを、イベントとして検知する。また、復帰制御部８１は、ユーザーがログインや各種ジョブの指示を端末２００から行う等のアクセスをしたこと検知した場合にも、イベントとして検知する。
また、復帰制御部８１は、ネットワーク送受信部１２を介してジョブ９２が受信され、すなわち入力された場合に、イベントとして検知する。復帰制御部８１は、更に、ＦＡＸ送受信部１１で受信され、すなわち入力された画像データが、記憶部９にジョブ９２として記憶された場合も、イベントとして検知する。
なお、この際、復帰制御部８１以外の各部位は省エネルギー状態であってもよく、この場合でも、各センサの検知が可能なように制御されていてもよい。また、ネットワーク送受信部１２やＦＡＸ送受信部１１に関しては、受信された場合に、受信に係る回路のみ電源が供給される、一部スタンバイ解除のような省エネルギー状態にあってもよい。
【００３４】
（ステップＳ１０１）
次に、復帰制御部８１は、復帰トリガーイベント特定処理を行う。
復帰制御部８１は、各種センサで検知された状態の変化があった場合、記憶部９の復帰設定９３を参照して、復帰トリガーイベントを特定する。
たとえば、復帰制御部８１は、人感センサ１３がユーザーを検知したり、ネットワーク送受信部１２を介して、ユーザーが端末２００から画像形成装置１にアクセスしたことを検知した場合等には、復帰設定９３を参照し、「ユーザーログイン」の復帰トリガーイベントと特定する。
また、復帰制御部８１は、原稿が原稿載置部３１に載置されたことが原稿検知センサ３１１で検知された、又は原稿給送部３が開閉されたことが開閉センサ３２１で検知された場合も、「原稿セット」の復帰トリガーイベントと特定する。
また、復帰制御部８１は、手差しトレイ４２３の開閉又は給紙カセット４２１の交換がトレイ用センサにて検知された場合も、「用紙セット」の復帰トリガーイベントと特定する。
また、復帰制御部８１は、タッチパネル６１やボタン部６２でユーザーの指が近づいた等で、静電容量の変化等が検知された場合も、「タッチ検知」の復帰トリガーイベントと特定する。なお、復帰制御部８１は、タッチパネル６１へのタッチやボタン部６２の押下自体を復帰トリガーイベントとして特定してもよい。
また、復帰制御部８１は、記憶媒体接続部６３に記憶媒体や各種機器が接続された場合も、「記憶媒体接続」の復帰トリガーイベントとして特定する。
【００３５】
さらに、復帰制御部８１は、記憶部９にジョブ９２が記憶されたことを検知した場合にも、記憶部９の復帰設定９３を参照して、ジョブの種類が所定のジョブであった場合に、復帰トリガーイベントとして特定する。
たとえば、復帰制御部８１は、ジョブ９２のジョブの種類が印刷ジョブであった場合には、復帰設定９３を参照し、「印刷ジョブ」の復帰トリガーイベントと特定する。また、復帰制御部８１は、ジョブの種類が「スキャンジョブ」であった場合、復帰トリガーイベントとして特定する。また、復帰制御部８１は、ジョブの種類が「リモートスキャンジョブ」であった場合、復帰トリガーイベントとして特定する。また、復帰制御部８１は、ジョブの種類が「コピージョブ」であった場合、復帰トリガーイベントとして特定する。
また、復帰制御部８１は、ジョブの種類が「ＦＡＸジョブ」であった場合にも、復帰トリガーイベントとして特定する。すなわち、復帰制御部８１は、ＦＡＸ受信ジョブのジョブ９２が記憶部９に記憶されたり、ＦＡＸ送信ジョブ用のジョブ９２として記憶された場合にも、復帰トリガーイベントとして特定する。
【００３６】
復帰制御部８１は、復帰トリガーイベントと特定された場合、この特定された復帰トリガーイベントを記憶部９に記憶する。
なお、復帰制御部８１は、アカウント設定９０や機器状態９１に従って、予め設定されたイベントを、復帰トリガーイベントと特定しないことも可能である。
【００３７】
（ステップＳ１０２）
次に、復帰制御部８１は、検知され特定されたイベントがあったか否かを判定する。
復帰制御部８１は、復帰トリガーイベントと特定された場合、各部を省エネルギー状態から復帰させる復帰トリガー（惹起要因）があったとして、Ｙｅｓと判定する。それ以外の場合はＮｏと判定する。
Ｙｅｓの場合、復帰制御部８１は、処理をステップＳ１０３に進める。
Ｎｏの場合、復帰制御部８１は、処理をステップＳ１００に戻して、イベントの検知を続ける。
【００３８】
（ステップＳ１０３）
検知されたイベントが復帰トリガーイベントであった場合、復帰制御部８１は、この復帰トリガーイベントの種類に従って、復帰部位特定処理を行う。
復帰制御部８１は、復帰設定９３と、機器状態９１とを参照して、省エネルギー状態から通常起動状態へ復帰させる部位を特定する。
【００３９】
（ステップＳ１０４）
次に、復帰制御部８１は、特定部位復帰処理を行う。
復帰制御部８１は、特定された部位の電源制御を行い、省エネルギー状態から通常起動状態へ復帰させる。
この際に、復帰制御部８１は、複数の部位について、同時に省エネルギー状態から通常起動状態への復帰を行わせることができる。また、復帰制御部８１は、起動順位の依存関係のある場合は、優先順位をつけて最も高速に起動するように制御することができる。
【００４０】
〔復帰部位の特定と復帰の詳細〕
ここで、図４を参照して、復帰トリガーイベントによる復帰部位の特定及び省エネルギーから通常起動状態への復帰の詳細について説明する。
復帰トリガーイベントが「ユーザーログイン」であった場合、復帰制御部８１は、復帰設定９３を参照して、操作パネル部６のみ省エネルギー状態から通常起動状態へ復帰させることを特定する。そして、復帰制御部８１は、操作パネル部６を「オン」、すなわち電源を通電し、起動コマンド等を送信し、省エネルギー状態から通常起動状態になるよう制御する。
つまり、「ユーザーログイン」の場合、復帰制御部８１は、全ての部位が省エネルギー状態になっている状態から、先に操作パネル部６のみ復帰させる。この上で、復帰制御部８１は、次にユーザーが行う各ジョブについてのタッチパネル６１やボタン部６２によるユーザーの指示を待つ。
この「ユーザーログイン」の場合のように、その後にユーザーが行う可能性があるジョブが特定できない場合、復帰制御部８１は、他の部位については復帰させず、ユーザーの指示があった時点で復帰させる。たとえば、ユーザーがボタン部６２でスキャンやファクシミリ送信に係る「送信」ボタンを押下したことを検知した場合、復帰制御部８１は、スキャナー２１を省エネルギー状態から復帰させる。
【００４１】
また、復帰トリガーイベントが「原稿セット」であった場合、復帰制御部８１は、操作パネル部６と、スキャナー２１と、ＦＡＸ送受信部１１とを特定し、省エネルギー状態から通常起動状態へ復帰させる。しかしながら、記録部７は特定せず、復帰もさせない。
このように、復帰トリガーイベントが「原稿セット」の場合、復帰制御部８１は、ユーザーが原稿読み取りや次のジョブの種類を指示するのに必要な操作パネル部６と、原稿を読み取るのに必要なスキャナー２１とについては、復帰させる必要がある。
この上で、残りの部位について、復帰制御部８１は、原稿がセットされた場合にユーザーが指示する可能性があるジョブの種類に従って、復帰させるか否かを選択する。
つまり、原稿がセットされた場合、ユーザーがコピーによる印刷、ファクシミリ送信、スキャン、又はリモートスキャンのいずれかを指示すると考えられる。このため、復帰制御部８１は、ファクシミリ送信の指示に対応するＦＡＸ送受信部１１も復帰させる。つまり、ユーザーが次に指示すると推測可能な部位について、予め復帰させておくことで、ユーザーの指示後に、すぐ動作させることができる。
しかしながら、ユーザーがファクシミリ送信、スキャン、又はリモートスキャンを指示した場合には、記録部７は復帰させる必要がない。このため、復帰制御部８１は、ユーザーが復帰トリガーイベントの次に指示する可能性のあるジョブが複数ある場合において、その部位を復帰させる必要が「ない」指示の可能性が少なくとも２つ以上ある場合には、当該部位を復帰させない処理を行う。
【００４２】
また、復帰トリガーイベントが「用紙セット」であった場合、復帰制御部８１は、操作パネル部６と記録部７とを特定し、省エネルギー状態から通常起動状態へ復帰させる。
これは、少なくともユーザーが用紙に記録するジョブを行う可能性があると想定されるためである。
【００４３】
また、復帰トリガーイベントが「タッチ検知」又は「記憶媒体接続」であった場合、復帰制御部８１は、「ユーザーログイン」と同様に、次のジョブを特定できないため、操作パネル部６のみ省エネルギー状態から復帰させる。これにより、復帰制御部８１は、ユーザーによる次の指示を待つ。
【００４４】
また、ジョブ９２のジョブの種類で復帰トリガーイベントが特定できる場合、復帰制御部８１は、記憶部９の復帰設定９３を参照して各部位を特定し、省エネルギー状態から通常起動状態へ復帰させる。
たとえば、復帰トリガーイベントが「印刷ジョブ」であった場合、復帰制御部８１は、復帰設定９３を参照して記録部７のみを特定し、復帰させる。これにより、単に印刷データを受信して記録する場合には、他の部位を省エネルギー状態に保つことができる。
また、復帰トリガーイベントが「スキャンジョブ」であった場合、復帰制御部８１は、操作パネル部６とスキャナー２１とを特定し、復帰させる。これにより、ユーザーは記憶部９又は記憶媒体接続部６３に接続された記憶媒体へスキャンを行うことができる。
また、復帰トリガーイベントが「リモートスキャンジョブ」であった場合、操作パネル部６の他に端末２００からスキャンの指示が可能である。このため、復帰制御部８１は、スキャナー２１のみ特定し、復帰させる。この場合でも、復帰制御部８１は、ユーザーによるタッチパネル６１やボタン部６２の押下を検知して、操作パネル部６を通常起動状態にできるため、スキャンの指示を行うことができる。
また、復帰トリガーイベントが「コピージョブ」であった場合、復帰制御部８１は、操作パネル部６と記録部７とスキャナー２１とを特定し、復帰させる。
また、復帰トリガーイベントが「ＦＡＸジョブ」であった場合、復帰制御部８１は、操作パネル部６とスキャナー２１とＦＡＸ送受信部１１とを特定し、復帰させる。
【００４５】
このように、復帰トリガーイベントにより、ユーザーの意図に合わせて各部を省エネルギー状態から復帰させることで、ユーザーの操作性をできるだけ損なわず、きめ細かく消費電力を削減できる。
【００４６】
なお、これらの省エネルギー状態からの復帰の際、復帰制御部８１は、機器状態９１とを参照して、選択された部位が、既に省エネルギー状態から復帰されていた場合には、復帰させない。
また、復帰制御部８１は、復帰させた部位について、機器状態９１に記録する。
【００４７】
さらに、これらの各部位を省エネルギー状態から復帰させる際に、それに付随する部位についても電源を通常起動状態にできる。
たとえば、スキャナー２１が復帰された際に、ネットワーク送受信部１２や、原稿給送部３等も併せて電源を通常起動状態にさせてもよい。
【００４８】
（ステップＳ１０５）
次に、復帰制御部８１は、部位毎に省エネルギー状態に変更させるか否かについて判定する。ここでは、復帰制御部８１は、複数の部位を省エネルギー状態から復帰させ、ユーザーが次の指示を行った場合、当該次の指示に必要な部位以外を省エネルギー状態に変更させるため、Ｙｅｓと判定する。それ以外の場合、つまり複数の部位を省エネルギー状態から復帰させていなかった場合等はＮｏと判定する。
Ｙｅｓの場合、復帰制御部８１は、処理をステップＳ１０６に進める。
Ｎｏの場合、復帰制御部８１は、選択復帰処理を終了して、再び、イベントが検知されるまで待つ。
【００４９】
（ステップＳ１０６）
必要な部位以外を省エネルギー状態へ変更させる場合、復帰制御部８１は、選択部位省エネルギー処理を行う。
ここでは、例えば、復帰トリガーイベントが「原稿セット」であり、操作パネル部６や端末２００等からユーザーがスキャン、リモートスキャン、コピー、ＦＡＸ等の次の指示を検知した場合には、復帰制御部８１は、それらに関する以外の部位を省エネルギー状態に変更させる。
たとえば、ユーザーの次の指示がスキャンであった場合、復帰制御部８１は、ＦＡＸ送受信部１１は当該処理に必要ない部位であるため、省エネルギー状態に変更させる。逆にユーザーの指示が、例えば、記憶フォルダ内のファイルのファクシミリ送信であった場合には、復帰制御部８１は、スキャナー２１を省エネルギー状態に変更させる。
また、復帰制御部８１は、機器状態９１を参照して、ユーザーの次の指示にて必要ない部位を省エネルギー状態に変更させてもよい。
これらの変更後に、復帰制御部８１は、省エネルギー状態に変更させた部位について機器状態９１に書き込む。
以上により、選択復帰処理を終了する。その後、復帰制御部８１は、再びイベントが検知されるまで待機する。
【００５０】
以上のように構成することで、以下のような効果を得ることができる。
従来は省エネルギー状態からの復帰時にユーザーの使用状況とは関係ない部位まで全部復帰することが一般的であった。さらに、従来技術１や従来技術２は、ユーザーの使用状況を基にしていなかった。このため、省エネルギー性を損なっていた。
これに対して、本発明の実施の形態に係る画像形成装置１は、各種センサにより各部の状態を検知して、復帰設定９３を参照し、使用される可能性のある部位を特定し、部位毎に省エネルギー状態から復帰させることができる。
また、本実施形態の画像形成装置１は、ユーザーの指示や使用目的に合わせ、省エネルギー状態から通常起動状態へ復帰させる。
すなわち、本実施形態の画像形成装置１は、復帰トリガーイベントを基に部位を特定してその部位のみ復帰させられる。このため、ユーザー利便性を損なわず、無駄な部位を省エネルギー状態から復帰させることなく、省エネルギー性能を高めることができる。
なお、本実施形態の画像形成装置１は、ユーザーの利便性を高めるために、一旦、必要な部位を立ち上げた後、ユーザーの次の指示により、必要ない部位を省エネルギー状態に変更させることもできる。このため、更に省エネルギー性能を高めることができる。
【００５１】
また、本実施形態の画像形成装置１は、各センサの信号から復帰トリガーイベントを特定するのに加えて、記憶部９に記憶されたジョブ９２からも復帰トリガーイベントを特定する。
これにより、復帰トリガーイベントの特定の精度を向上させ、きめ細かにユーザーの指示を検知することができる。よって、省エネルギー性能を高めることができる。
【００５２】
なお、本実施形態の選択復帰処理は、画像形成装置以外の情報処理装置にも適用することが可能である。
また、上述の例とは異なり、復帰制御部８１は、タッチ検知や記憶媒体接続の復帰トリガーイベントにおいて、記録部７、スキャナー２１、ＦＡＸ送受信部１１を全て省エネルギー状態から復帰させる処理も可能である。この場合も、復帰制御部８１は、選択部位省エネルギー処理にて、ユーザーの次の指示にて必要ない部位を省エネルギー状態に変更させる。
【００５３】
なお、上記実施の形態の構成及び動作は例であって、本発明の趣旨を逸脱しない範囲で適宜変更して実行することができることは言うまでもない。
【符号の説明】
【００５４】
１  画像形成装置
２  原稿読取部
３  原稿給送部
４  本体部
５  スタックトレイ
６  操作パネル部
７  記録部
８  制御部
９  記憶部
１０  画像処理部
１１  ＦＡＸ送受信部
１２  ネットワーク送受信部
１３  人感センサ
２１  スキャナー
２２  プラテンガラス
２３  原稿読取スリット
３１  原稿載置部
３２  原稿排出部
３３  原稿搬送機構
４１  排出口
４２  給紙部
４３  用紙搬送路
４４  搬送ローラー
４５  排出ローラー
６１  タッチパネル
６２  ボタン部
６３  記憶媒体接続部
７１  感光体ドラム
７２  露光部
７３  画像形成部
７４  転写部
７５  定着部
８１  復帰制御部
９０  アカウント設定
９１  機器状態
９２  ジョブ
９３  復帰設定
１００  ネットワーク
２００  端末
３１１  原稿検知センサ
３２１  開閉センサ
４２１  給紙カセット
４２２  給紙ローラー
４２３  手差しトレイ
４４１  トレイ用センサ
【図１】
2014049955.tif 000003
【図２】
2014049955.tif 000004
【図３】
2014049955.tif 000005
【図４】
2014049955.tif 000006